(57)【要約】【課題】器具本体の大型化を抑制しつつ電線の引き回しの容易化を図る。【解決手段】取付板６において光源ユニット３と点灯装置４の間に生じるデッドスペースに電線を引き回すことができる。そのため、本実施形態の照明器具は、器具本体１の大型化を抑制しつつ電線の引き回しの容易化を図ることができる。【選択図】        図１
2015141761.tif 000002
【特許請求の範囲】
【請求項１】
複数の光源及び前記複数の光源が一面に取り付けられる取付板を有する光源ブロックと、前記光源ブロックを支持する器具本体と、前記複数の光源を点灯させる点灯装置とを備え、
前記光源ブロックは、前記複数の光源が短手方向に沿って間隔を空けて並び、且つ前記複数の光源の間に前記点灯装置が配置されるように構成され、
前記取付板は、前記点灯装置と、前記点灯装置と隣り合う前記光源との間に、電線挿通用の長孔が貫通するように構成されることを特徴とする照明器具。
【請求項２】
前記長孔は、前記光源の短手方向に沿った幅寸法よりも幅寸法が大きく、且つ前記光源の短手方向における両側にはみ出すように構成されることを特徴とする請求項１記載の照明器具。
【発明の詳細な説明】
【技術分野】
【０００１】
本発明は、照明器具に関する。
【背景技術】
【０００２】
従来例として、特許文献１記載の天井埋込型の照明器具を例示する。この従来例は、前面(下面)が開口する箱状の器具本体と、発光面を前方に向けた状態で器具本体内に収納されるＬＥＤユニットと、ＬＥＤユニットを点灯する点灯装置とを備える。
【０００３】
器具本体は、金属板により下面が開口する矩形箱状に形成されている。器具本体の底部の下面には、ＬＥＤユニットが下面に取り付けられた取付板が着脱可能に取り付けられる。一方、底部の上面には、点灯装置が取り付けられる。なお、点灯装置の入力端子には、商用の交流電力を給電するための電線(電力線)が接続される。
【先行技術文献】
【特許文献】
【０００４】
【特許文献１】特開２０１３−１７８９４９号公報
【発明の概要】
【発明が解決しようとする課題】
【０００５】
ところで、点灯装置がＬＥＤユニットと同じく取付板の下面に取り付けられると、器具本体の低背化が図られる。そして、器具本体が低背化されれば、天井板に直付けされた場合に天井からの突出量が抑制されることで見栄えが良くなるという利点が生じる。
【０００６】
一方、点灯装置が取付板の下面に取り付けられる場合、前記電力線を取付板の上面側から下面側に引き回す必要がある。しかしながら、取付板に電線挿通用の孔が設けられる場合、当該孔が設けられるスペースの分だけ取付板が大きくなってしまう可能性がある。
【０００７】
本発明は、上記課題に鑑みて為されたものであり、器具本体の大型化を抑制しつつ電線の引き回しの容易化を図ることを目的とする。
【課題を解決するための手段】
【０００８】
本発明の照明器具は、複数の光源及び前記複数の光源が一面に取り付けられる取付板を有する光源ブロックと、前記光源ブロックを支持する器具本体と、前記複数の光源を点灯させる点灯装置とを備え、前記光源ブロックは、前記複数の光源が短手方向に沿って間隔を空けて並び、且つ前記複数の光源の間に前記点灯装置が配置されるように構成され、
前記取付板は、前記点灯装置と、前記点灯装置と隣り合う前記光源との間に、電線挿通用の長孔が貫通するように構成されることを特徴とする。
【０００９】
この照明器具において、前記長孔は、前記光源の短手方向に沿った幅寸法よりも幅寸法が大きく、且つ前記光源の短手方向における両側にはみ出すように構成されることが好ましい。
【発明の効果】
【００１０】
本発明の照明器具は、取付板において複数の光源の間に点灯装置が配置されるように光源ブロックが構成され、且つ点灯装置と、点灯装置と隣り合う光源との間に、電線挿通用の長孔が貫通するように取付板が構成されるので、取付板において光源と点灯装置の間に生じるデッドスペースに電線を引き回すことができる。そのため、本実施形態の照明器具は、器具本体の大型化を抑制しつつ電線の引き回しの容易化を図ることができるという効果がある。
【図面の簡単な説明】
【００１１】
【図１】本発明に係る照明器具の実施形態を示す要部の平面図である。
【図２】同上の分解斜視図である。
【図３】同上における器具本体の要部を示す斜視図である。
【図４】同上における器具本体の平面図である。
【図５】同上の反射部材を変更した変形例を示す斜視図である。
【発明を実施するための形態】
【００１２】
以下、本発明に係る照明器具の実施形態について、図面を参照して詳細に説明する。本実施形態の照明器具は、天井板に設けられる埋込孔に器具本体が埋め込まれる天井埋込型の照明器具である。
【００１３】
本実施形態の照明器具は、図２に示すように器具本体１と、光源ブロック２とを備える。また、光源ブロック２は、複数(図示例では３つ)の光源ユニット３、点灯装置４、複数(図示例では２つ)の反射部材５、取付板６などで構成される。なお、以下の説明では、特に断りの無い限り、図２において上下、前後、左右の各方向を規定する。
【００１４】
光源ユニット３は、ＬＥＤモジュール３０、取付部材３１、カバー３２、一対のカバーエンド３３、一対の反射シート３４などを備える。ＬＥＤモジュール３０は、セラミックスなどの絶縁材料製の基板３００と、基板３００の表面(下面)に等間隔且つ２列に並べて実装される複数個の発光ダイオード３０１とを有する。また、基板３００の長手方向の一端には、レセプタクルコネクタ３０２が実装される。このレセプタクルコネクタ３０２は、基板３００に形成されているプリント配線(図示せず)を介して各発光ダイオード３０１と電気的に接続されている。さらに、基板３００は、短手方向(左右方向)の両端に、３つの貫通孔３０３がそれぞれ長手方向(前後方向)に沿って等間隔に設けられている。
【００１５】
取付部材３１は、長尺の矩形板状である底壁部３１０と、底壁部３１０の長手方向(前後方向)に沿った両端から上向きに立ち上がる一対の側壁部３１１とを有する角樋状に形成されている。底壁部３１０は、短手方向(左右方向)の両端に、３つの切り起こし片３１２がそれぞれ長手方向に沿って等間隔に設けられている。
【００１６】
ＬＥＤモジュール３０は、取付部材３１の底壁部３１０と基板３００が密着した状態で、取付部材３１の６つの切り起こし片３１１が、基板３００の各貫通孔３０３に挿通された後にかしめられることにより、取付部材３１に取り付けられる。
【００１７】
反射シート３４は、ポリエチレンテレフタレートなどの合成樹脂材料からシート状に形成されている。また、反射シート３４は、白色に着色されることで表面(接着剤が塗布されていない面)が反射面となるように形成されている。そして、一対の反射シート３４は、発光ダイオード３０１を避けつつ底壁部３１０と基板３００に被さるように底壁部３１０と基板３００の表面(下面)に貼り付けられる。つまり、発光ダイオード３０１から放射される光を反射シート３４の反射面に反射させることで、より多くの光を照明空間に照射することができる。
【００１８】
カバー３２は、アクリル樹脂やポリカーボネート樹脂などの透光性を有する材料により、略半円筒形の主部３２０と、主部３２０の長手方向(前後方向)に沿った両端部より互いに並行するように上向きに突出した一対の突壁部３２１とが一体に形成されている。なお、各突壁部３２１の先端(上端)には、内向きに突出する突起部3210がそれぞれ一体に設けられている。また、主部３２０の長手方向に沿った両端部には、主部３２０と連なるように各突壁部３２１の外側まで延出された延出部３２２がそれぞれ一体に形成されている。そして、カバー３２は、各突壁部３２１の突起部3210が、取付部材３１の各側壁部３１１の先端(上端)に引っ掛かることにより、ＬＥＤモジュール３０の前方を覆うように取付部材３１の下面側に取り付けられる。なお、カバー３２は乳白色の拡散材が混入され、ＬＥＤモジュール３０から放射される光を拡散させて照明空間へ照射するように構成されている。
【００１９】
カバーエンド３３は、カバー３２と同じ材料で半円板状に形成され、カバー２２及び取付部材３１の長手方向の両端に取り付けられる。
【００２０】
点灯装置４は、交流の電圧・電流を直流の電圧・電流に変換する電力変換回路や入力端子台４１、出力端子台４３、信号端子台４２などが実装されたプリント配線板４４が金属製のケース４０に収納されて構成される。なお、入力端子台４１と信号端子台４２は、プリント配線板４４の前端部に実装され、出力端子台４３は、プリント配線板４４の後端部に実装される(図１参照)。
【００２１】
ケース４０は、角樋状に形成されたケース本体４００と、ケース本体４００の上に被せられる箱形のケース蓋４０１とを組み立てて構成される。ただし、入力端子台４１、出力端子台４３、信号端子台４２が実装されているプリント配線板４４の長手方向の両端部はケース蓋４０１で覆われていない。
【００２２】
取付板６は、鋼板などの金属板が矩形(正方形)に加工されてなる。ただし、取付板６は、４つの辺が同じ向き(下向き)に曲げ起こされることで強度の向上が図られている。そして、３つの光源ユニット３は、長手方向が前後方向に揃えられ、左右方向に沿って等間隔に並んだ状態で、ねじ止めなどの適宜の方法によって取付板６の下面に取り付けられる。また、点灯装置４は、隣り合う２つの光源ユニット３の間において、ねじ止めなどの適宜の方法によって取付板６の下面に取り付けられる。ただし、図２では点灯装置４を１つしか図示していないが、光源ユニット３の個数に応じて、点灯装置４が２つ以上設けられても構わない。
【００２３】
反射部材５は、隣り合う光源ユニット３の間に生じる２箇所のスペースにそれぞれ配置される。これらの反射部材５は同一の構成を有し、一対の反射板５０と、各反射板５０の上端から上向きに延出された一対の側板５１とが、長方形状の金属板を曲げ加工することで一体に形成されている。一対の反射板５０は、長手方向に沿った一方の端縁同士が繋がっており、長手方向(前後方向)から見てＶ字状に形成されている。
【００２４】
側板５１は、長手方向(前後方向)の両端における先端(上端)近傍にそれぞれ長孔からなる差込孔５１０が設けられている。そして、取付板６に設けられている複数の差込片６０が各側板５１の差込孔５１０に差し込まれることにより、取付板６に反射部材５が取り付けられる。なお、取付板６に取り付けられた点灯装置４は、取付板６に取り付けられる一方(図２における右側)の反射部材５で覆い隠される。このように、反射部材５と取付板６で囲まれるデッドスペースに点灯装置４が配置されるため、点灯装置４が取付板６の背面(上面)に取り付けられる場合と比較して、光源ブロック２の低背化を図ることができる。
【００２５】
器具本体１は、角筒状の枠体１０と、矩形平板状のベース板(底板)１１とが結合されることにより、下面が開放された矩形箱状に形成される。
【００２６】
枠体１０は、左右方向に対向する一対の第１側板１００と、前後方向に対向する一対の第２側板１０１と、フランジ１０２とを有する。第１側板１００は、矩形板状の縦板1000と、縦板1000の下端縁から斜め下向きに突出する傾斜板1001と、縦板1000の上端縁から傾斜板1001と反対向き且つ水平に突出する取付片1002とが鋼板などの金属板で一体に形成されている。
【００２７】
また、第２側板１０１は、台形状の縦板1010と、縦板1010の上端縁から内向き且つ水平に突出する取付片1011と、縦板1010の両端から上向きに突出する一対の接合片1012とが、鋼板などの金属板で一体に形成されている。
【００２８】
第１側板１００は、長手方向(前後方向)における両端に第２側板１０１がそれぞれ接合される。すなわち、第２側板１０１の接合片1012が第１側板１００の縦板1000に溶接されることにより、第１側板１００と第２側板１０１とが接合される。
【００２９】
フランジ１０２は、金属板が加工されることで矩形枠状に形成され、第１側板１００及び第２側板１０１の下端縁に接合される。
【００３０】
ベース板１１は、鋼板などの金属板が矩形に加工されてなる。ただし、ベース板１１は、４つの辺が同じ向き(下向き)に曲げ起こされることで強度の向上が図られている。
【００３１】
また、ベース板１１は、給電用の電源線が挿通される第１挿通孔１１０と、調光用の制御信号などが伝送される信号線が挿通される第２挿通孔１１１とが設けられている。第１挿通孔１１０に挿通される電源線(図示せず)は、ベース板１１の下面に固定される第１端子台７に接続される。第１端子台７は、図示しない接続部に電線(図示せず)の一端が接続される。そして、この電線の他端が点灯装置４の入力端子台４１に接続される。故に、商用電源から第１端子台７を介して点灯装置４に交流電力が給電される。
【００３２】
また、ベース板１１の下面には、第２端子台８も固定される。第２端子台８は、第２挿通孔１１１に挿通される信号線(図示せず)と、点灯装置４の信号端子台４２に接続される信号線とがそれぞれ接続される。つまり、図示しない調光器から信号線を介して伝送される調光信号が第２端子台８を通して点灯装置４の信号端子台４２に入力される。点灯装置４は、調光信号に対応して、出力(直流電力)を定格値から減少させることで各光源ユニット３を調光するように構成されている。さらに、ベース板１１は、図示しない吊りボルトが挿通される複数(図示例では３つ)のボルト挿通孔１１２が左右方向に一列に並べて設けられる。
【００３３】
上述のように構成されるベース板１１は、枠体１０の取付片1002に取り付けられる。枠体１０の取付片1002及びベース板１１には、４つの取付部１２と２つの抜け止め部１３とが設けられている。
【００３４】
取付部１２は、取付片1002に設けられるブリッジ(第３ブリッジ)１２２と、ベース板１１に設けられる爪１２０及び貫通孔１２１とで構成される。
【００３５】
第３ブリッジ１２２は、図３に示すように取付片1002から下向きに突出する一対の橋脚1220と、一対の橋脚1220に掛け渡される橋板1221とを備える。このような第３ブリッジ１２２は、例えば、打ち抜き加工によって形成される。なお、以下の説明では、一対の橋脚1221及び橋板1220に囲まれる空間を第３ブリッジ１２２の孔と呼ぶ。
【００３６】
一方、爪１２０は、ベース板１１の四隅に設けられる矩形の貫通孔１２１の１つの辺(前方の辺)から突出する山形(放物線形状)に形成されている。このような爪１２０及び貫通孔１２１は、例えば、打ち抜き加工によって形成される。
【００３７】
抜け止め部１３は、図３に示すように取付片1002に設けられる突部１３０と、ベース板１１に設けられるブリッジ(第１ブリッジ)１３１及び貫通孔１３２とで構成される。なお、抜け止め部１３は、前後方向において２つの取付部１２の間に配置される。
【００３８】
第１ブリッジ１３１は、ベース板１１に設けられる長方形の貫通孔１３２を短幅方向に跨ぐように、貫通孔１３２の長手方向におけるほぼ中央に設けられている。また、第１ブリッジ１３１は、図３に示すようにベース板１１から下向きに突出する一対の橋脚1310と、一対の橋脚1310に掛け渡される橋板1311とを備える。このような貫通孔１３２及び第１ブリッジ１３１は、例えば、打ち抜き加工によって形成される。なお、以下の説明では、一対の橋脚1310及び橋板1311に囲まれる空間を第１ブリッジ１３１の孔と呼ぶ。
【００３９】
一方、突部１３０は、台形状の接触片1300と、一辺が接触片1300の２つの斜辺(台形における底辺以外の２辺)に各別に繋がった三角形状の一対の側片1301とで構成される。また、突部１３０は、接触片1300の２つの底辺(台形における平行な２辺)のうちの長い方の底辺のみで取付片1002と連結されるように構成されている。つまり、突部１３０は、取付片1002に連結されている接触片1300の底辺を支点として撓み可能に構成されている。なお、このような突部１３０は、例えば、打ち抜き加工によって形成される。
【００４０】
続いて、ベース板１１を取付片1002に取り付ける手順を説明する。作業者は、枠体１０の内側からベース板１１を取付片1002に密着させる。このとき、取付片1002に設けられている４つの第３ブリッジ１２２が、ベース板１１に設けられている４つの貫通孔１２１に各別に挿通される。同じく、取付片1002に設けられている２つの突部１３０が、ベース板１１に設けられている２つの貫通孔１３２に各別に挿通される。
【００４１】
そして、作業者は、ベース板１１を取付片1002に対して平行移動させる。そうすると、４つの取付部１２の爪１２０が４つの第３ブリッジ１２２の孔に各別に挿通されるとともに、２つの突部１３０が２つの第１ブリッジ１３１の孔に各別に挿通される。
【００４２】
さらに、作業者は、第３ブリッジ１２２が爪１２０の根元近くに達するまでベース板11を平行移動させる。そうすると、４つの爪１２０がそれぞれ４つの第３ブリッジ１２２に引っ掛かるため、取付片1002(枠体１０)に対してベース板１１が結合される(図４参照)。このとき、第１ブリッジ１３１の橋板1310が突部１３０を撓ませて乗り越え、橋板1310に突部１３０が引っ掛かるため、突部１３０が反挿通向き(前向き)に移動することが規制(抜け止め)される(図３参照)。
【００４３】
上述のようにして、枠体１０の取付片1002にベース板１１が取り付けられる。
【００４４】
器具本体１は、ベース板１１のボルト挿通孔１１２に挿通される吊りボルトにナット(図示せず)が締め付けられて吊りボルトに固定される。そして、器具本体１は、枠体１０のフランジ１０２が天井板の下面側(照明空間側)に露出し、その他の部分が天井板の埋込孔に挿入されて埋込配設される。つまり、フランジ１０２は、埋込孔の周縁と器具本体１との間に生じる隙間を塞いで隠すために設けられている。
【００４５】
また、枠体１０の各取付片1011には、いわゆるラッチ１５が左右方向に間隔を空けて２つずつ取り付けられている(図４参照)。ラッチ１５は、幅細の直方体状に形成された摘まみ１５０と、摘まみ１５０を回転可能に支持する支持部(図示せず)とを有する。そして、ラッチ１５は、取付片1011に設けられる取付孔(図示せず)に支持部が挿通されて取付片1011に取り付けられる。
【００４６】
一方、取付板６の前後両端には、ラッチ１５の摘まみ１５０が挿通可能な寸法を有する矩形の挿通孔６１がそれぞれ２つずつ設けられている。すなわち、埋込孔に埋め込まれた器具本体１内に光源ブロック２を収納する際、取付板６の各挿通孔６１に挿通されたラッチ１５の摘まみ１５０が９０度回転されることにより、挿通孔６１に対して摘まみ１５０が抜け止めされる。したがって、光源ブロック２は、４つのラッチ１５によって器具本体１(枠体１０の一対の取付片1011)に取り付けられる。ただし、上述のようなラッチ１５は従来周知であるから、詳細な構成の図示並びに説明は省略する。
【００４７】
次に、本発明の要旨である取付板６の構造について、さらに詳しく説明する。
【００４８】
取付板６は、図１に示すように点灯装置４が取り付けられる位置に矩形の長孔６２が貫通するように構成される。この長孔６２は、長手方向が点灯装置４の長手方向に一致するとともに短手方向が点灯装置４の短手方向に一致し、且つ短手方向の幅寸法が点灯装置４の幅寸法よりも大きくなるように構成されている。つまり、点灯装置４が取付板６に取り付けられた状態において、点灯装置４の長手方向に沿った両側に長孔６２の一部(短手方向における両端部)が開口する。
【００４９】
したがって、第１端子台７の接続部に接続された電線４５は、長孔６２に挿通されて取付板６の下面側に引き出されて点灯装置４の入力端子台４１に接続される。同様に、第２端子台８に接続された信号線４６は、長孔６２に挿通されて取付板６の下面側に引き出され、反射部材５の側板５１とケース本体４００の間のスペースに配線されて点灯装置４の信号端子台４２に接続される。なお、出力端子台４３に接続される出力線４７は、長孔６２を通して取付板６の上面側に引き出され、取付板６の上面側に配置されているコネクタ(図示せず)を介して光源ユニット３と電気的に接続される。
【００５０】
上述のように本実施形態の照明器具は、複数の光源(光源ユニット３)及び複数の光源(光源ユニット３)が一面に取り付けられる取付板６を有する光源ブロック２と、光源ブロック２を支持する器具本体１とを備える。また、本実施形態の照明器具は、複数の光源(光源ユニット３)を点灯させる点灯装置４を備える。光源ブロック２は、複数の光源(光源ユニット３)が短手方向に沿って間隔を空けて並ぶように構成される。さらに、光源ブロック２は、複数の光源(光源ユニット３)の間に点灯装置４が配置されるように構成される。取付板６は、点灯装置４と、点灯装置４と隣り合う光源(光源ユニット３)との間に、電線挿通用の長孔６２が貫通するように構成される。
【００５１】
本実施形態の照明器具は上述のように構成されるので、取付板６において光源ユニット３と点灯装置４の間に生じるデッドスペースに電線を引き回すことができる。そのため、本実施形態の照明器具は、器具本体１の大型化を抑制しつつ電線の引き回しの容易化を図ることができる。
【００５２】
また、本実施形態の照明器具において、長孔６２は、光源(光源ユニット３)の短手方向に沿った幅寸法よりも幅寸法が大きく、且つ光源(光源ユニット３)の短手方向における両側にはみ出すように構成されることが好ましい。
【００５３】
上記構成によれば、電線挿通用の開口を点灯装置４の両側に容易に形成することができる。
【００５４】
なお、図５に示すように反射部材５における反射板５０と一対の側板５１との間に、取付板６と平行な平坦部５２が設けられていても構わない。
【００５５】
ところで、本発明の技術思想が適用可能な照明器具は、上述した天井埋込型のものに限定されず、例えば、天井板に直付けされる天井直付け型の照明器具であっても構わない。
【符号の説明】
【００５６】
１  器具本体
２  光源ブロック
３  光源ユニット(光源)
４  点灯装置
６  取付板
６２  長孔
【図１】
2015141761.tif 000003
【図２】
2015141761.tif 000004
【図３】
2015141761.tif 000005
【図４】
2015141761.tif 000006
【図５】
2015141761.tif 000007